(57)【要約】【課題】表示画面の情報量を向上する技術を提供する。【解決手段】表示領域２ａは、携帯機器の機器ケースの前面に設けられる。制御部は、第１のアプリケーションプログラムを実行したときに表示領域２ａに表示される第１表示画面２０ｂの一部を表示領域２ａの一部たるメイン領域２ｃに表示し、第１のアプリケーションプログラムとは異なる第２のアプリケーションプログラムを実行したときに表示領域２ａに表示される第２表示画面２０ｃの一部を、表示領域２ａのうちメイン領域２ｃとは別のサブ領域２ｄに表示できる。【選択図】図１９
2014232447.tif 000002
【特許請求の範囲】
【請求項１】
筐体と、
前記筐体の前面部分に設けられる表示領域と、
複数のアプリケーションプログラムが記録される記憶部と、
ユーザによる入力を検出できる検出部と、
第１のアプリケーションプログラムを実行したときに前記表示領域に表示される第１表示画面の一部を前記表示領域の一部たるメイン領域に表示し、前記第１のアプリケーションプログラムとは異なる第２のアプリケーションプログラムを実行したときに前記表示領域に表示される第２表示画面の一部を、前記表示領域のうち前記メイン領域とは別のサブ領域に表示できる制御部と
を備える、携帯機器。
【請求項２】
請求項１に記載の携帯機器であって、
前記制御部は、前記第１表示画面の前記一部が前記メイン領域に表示され、かつ、前記第２表示画面の前記一部が前記サブ領域に表示されている場合において、前記検出部がユーザによる第１入力を検出すると、前記第１表示画面の一部を前記サブ領域に表示し、前記第２表示画面の一部を前記メイン領域に表示する、携帯機器。
【請求項３】
請求項１に記載の携帯機器であって、
前記制御部は、前記第１表示画面の前記一部が前記メイン領域に表示され、かつ、前記第２表示画面の前記一部が前記サブ領域に表示されている場合において、前記検出部がユーザによる第１入力を検出すると、前記第１表示画面の一部を前記サブ領域に表示し、前記第１及び前記第２のアプリケーションプログラムとは異なる第３のアプリケーションプログラムを実行したときに前記表示領域に表示される第３表示画面、または、前記複数のアプリケーションプログラムをそれぞれ表す表示記号を並べて示す選択画面、の一部を、前記メイン領域に表示する、携帯機器。
【請求項４】
請求項２または３に記載の携帯機器であって、
前記検出部は、前記表示領域へのユーザによる操作を検出でき、
前記第１入力は、前記表示領域に対するユーザによる第１操作である、携帯機器。
【請求項５】
請求項１から４のいずれか一つに記載の携帯機器であって、
前記制御部は、前記第１表示画面の前記一部が前記メイン領域に表示され、かつ、前記第２表示画面の前記一部が前記サブ領域に表示されている場合において、前記検出部が第２入力を検出すると、前記第２表示画面の前記一部の表示を終了し、前記第１表示画面を前記表示領域の全体に表示する、携帯機器。
【請求項６】
請求項５に記載の携帯機器であって、
前記検出部は、前記表示領域へのユーザによる操作を検出でき、
前記第２入力は、前記メイン領域に対するユーザによる第２操作である、携帯機器。
【請求項７】
請求項１から６のいずれか一つに記載の携帯機器であって、
前記制御部は、前記第１表示画面の前記一部が前記メイン領域に表示され、かつ、前記第２表示画面の前記一部が前記サブ領域に表示されている場合において、前記検出部が第３入力を検出すると、前記第１表示画面の前記一部の表示を終了し、前記第２表示画面を前記表示領域の全体に表示する、携帯機器。
【請求項８】
請求項７に記載の携帯機器であって、
前記検出部は、前記表示領域へのユーザによる操作を検出でき、
前記第３入力は、前記サブ領域に対するユーザによる第２操作である、携帯機器。
【請求項９】
請求項１から８のいずれか一つに記載の携帯機器であって、
前記検出部は、前記表示領域へのユーザによる操作を検出でき、
前記制御部は、前記複数のアプリケーションプログラムをそれぞれ表す表示記号を並べて示す選択画面の一部が、前記メイン領域に表示されている場合において、前記検出部が前記メイン領域における前記表示記号への操作を検出すると、操作を受けた前記表示記号に対する第４のアプリケーションプログラムを実行し、前記第４のアプリケーションプログラムによる第４表示画面の一部を前記サブ領域に表示する、携帯機器。
【請求項１０】
請求項９に記載の携帯機器であって、
前記制御部は、前記メイン領域に前記選択画面の前記一部が表示され、かつ、前記サブ領域に、前記第４表示画面の前記一部が表示された状態から、前記選択画面を前記表示領域の全体に表示させるときに、前記第４のアプリケーションプログラムを終了させる、携帯機器。
【請求項１１】
筐体と、
前記筐体の前面に設けられる表示領域と、
複数のアプリケーションプログラムが記録される記憶部と、
ユーザによる入力を検出できる検出部と
を備える携帯機器を制御するための制御プログラムであって、
前記携帯機器に、
第１のアプリケーションプログラムを実行したときに前記表示領域に表示される第１表示画面の一部を前記表示領域の一部たるメイン領域に表示し、前記第１のアプリケーションプログラムとは異なる第２のアプリケーションプログラムを実行したときに前記表示領域に表示される第２表示画面の一部を、前記表示領域のうち前記メイン領域とは別のサブ領域に表示する工程
を実行させるための、制御プログラム。
【請求項１２】
筐体と、
前記筐体の前面に設けられる表示領域と、
複数のアプリケーションプログラムが記録される記憶部と、
ユーザによる入力を検出できる検出部と
を備える、携帯機器を制御するための制御方法であって、
第１のアプリケーションプログラムを実行したときに前記表示領域に表示される第１表示画面の一部を前記表示領域の一部たるメイン領域に表示し、前記第１のアプリケーションプログラムとは異なる第２のアプリケーションプログラムを実行したときに前記表示領域に表示される第２表示画面の一部を、前記表示領域のうち前記メイン領域とは別のサブ領域に表示する、携帯機器における制御方法。
【発明の詳細な説明】
【技術分野】
【０００１】
本発明は、携帯機器、携帯機器における表示部の制御方法およびプログラムに関する。
【背景技術】
【０００２】
特許文献１に記載されているように、従来から携帯機器に関して様々な技術が提案されている。
【先行技術文献】
【特許文献】
【０００３】
【特許文献１】特開２００９−２８３０１３号公報
【発明の概要】
【発明が解決しようとする課題】
【０００４】
さて、携帯機器については、表示画面に含まれる情報量の向上が望まれている。
【０００５】
本発明は上述の点に鑑みて成されたものであり、表示画面に含まれる情報量を向上することを可能にする技術を提供することを目的とする。
【課題を解決するための手段】
【０００６】
上記課題を解決するため、本発明にかかる携帯機器の一態様は、筐体と、前記筐体の前面部分に設けられる表示領域と、複数のアプリケーションプログラムが記録される記憶部と、ユーザによる入力を検出できる検出部と、を備え、第１のアプリケーションプログラムを実行したときに前記表示領域に表示される第１表示画面の一部を前記表示領域の一部たるメイン領域に表示し、前記第１のアプリケーションプログラムとは異なる第２のアプリケーションプログラムを実行したときに前記表示領域に表示される第２表示画面の一部を、前記表示領域のうち前記メイン領域とは別のサブ領域に表示できる制御部とを備える。
【０００７】
また、本発明にかかる携帯機器の一態様では、前記制御部は、前記第１表示画面の前記一部が前記メイン領域に表示され、かつ、前記第２表示画面の前記一部が前記サブ領域に表示されている場合において、前記検出部がユーザによる第１入力を検出すると、前記第１表示画面の一部を前記サブ領域に表示し、前記第２表示画面の一部を前記メイン領域に表示する。
【０００８】
また、本発明にかかる携帯機器の一態様では、前記制御部は、前記第１表示画面の前記一部が前記メイン領域に表示され、かつ、前記第２表示画面の前記一部が前記サブ領域に表示されている場合において、前記検出部がユーザによる第１入力を検出すると、前記第１表示画面の一部を前記サブ領域に表示し、前記第１及び前記第２のアプリケーションプログラムとは異なる第３のアプリケーションプログラムを実行したときに前記表示領域に表示される第３表示画面、または、前記複数のアプリケーションプログラムをそれぞれ表す表示記号を並べて示す選択画面、の一部を、前記メイン領域に表示する。
【０００９】
また、本発明にかかる携帯機器の一態様では、前記検出部は、前記表示領域へのユーザによる操作を検出でき、前記第１入力は、前記表示領域に対するユーザによる第１操作である。
【００１０】
また、本発明にかかる携帯機器の一態様では、前記制御部は、前記第１表示画面の前記一部が前記メイン領域に表示され、かつ、前記第２表示画面の前記一部が前記サブ領域に表示されている場合において、前記検出部が第２入力を検出すると、前記第２表示画面の前記一部の表示を終了し、前記第１表示画面を前記表示領域の全体に表示する。
【００１１】
また、本発明にかかる携帯機器の一態様では、前記検出部は、前記表示領域へのユーザによる操作を検出でき、前記第２入力は、前記メイン領域に対するユーザによる第２操作である。
【００１２】
また、本発明にかかる携帯機器の一態様では、前記制御部は、前記第１表示画面の前記一部が前記メイン領域に表示され、かつ、前記第２表示画面の前記一部が前記サブ領域に表示されている場合において、前記検出部が第３入力を検出すると、前記第１表示画面の前記一部の表示を終了し、前記第２表示画面を前記表示領域の全体に表示する。
【００１３】
また、本発明にかかる携帯機器の一態様では、前記検出部は、前記表示領域へのユーザによる操作を検出でき、前記第３入力は、前記サブ領域に対するユーザによる第２操作である。
【００１４】
また、本発明にかかる携帯機器の一態様では、前記検出部は、前記表示領域へのユーザによる操作を検出でき、前記制御部は、前記複数のアプリケーションプログラムをそれぞれ表す表示記号を並べて示す選択画面の一部が、前記メイン領域に表示されている場合において、前記検出部が前記メイン領域における前記表示記号への操作を検出すると、操作を受けた前記表示記号に対する第４のアプリケーションプログラムを実行し、前記第４のアプリケーションプログラムによる第４表示画面の一部を前記サブ領域に表示する。
【００１５】
また、本発明にかかる携帯機器の一態様では、前記制御部は、前記メイン領域に前記選択画面の前記一部が表示され、かつ、前記サブ領域に、前記第４表示画面の前記一部が表示された状態から、前記選択画面を前記表示領域の全体に表示させるときに、前記第４のアプリケーションプログラムを終了させる。
【００１６】
本発明にかかる制御プログラムの一態様は、筐体と、前記筐体の前面に設けられる表示領域と、複数のアプリケーションプログラムが記録される記憶部と、ユーザによる入力を検出できる検出部とを備える、携帯機器を制御するための制御プログラムであって、前記携帯機器に、第１のアプリケーションプログラムを実行したときに前記表示領域に表示される第１表示画面の一部を前記表示領域の一部たるメイン領域に表示し、前記第１のアプリケーションプログラムとは異なる第２のアプリケーションプログラムを実行したときに前記表示領域に表示される第２表示画面の一部を、前記表示領域のうち前記メイン領域とは別のサブ領域に表示する工程を実行させる。
【００１７】
本発明にかかる携帯機器における制御方法の一態様は、筐体と、前記筐体の前面に設けられる表示領域と、複数のアプリケーションプログラムが記録される記憶部と、ユーザによる入力を検出できる検出部とを備える、携帯機器を制御するための制御方法であって、第１のアプリケーションプログラムを実行したときに前記表示領域に表示される第１表示画面の一部を前記表示領域の一部たるメイン領域に表示し、前記第１のアプリケーションプログラムとは異なる第２のアプリケーションプログラムを実行したときに前記表示領域に表示される第２表示画面の一部を、前記表示領域のうち前記メイン領域とは別のサブ領域に表示する。
【発明の効果】
【００１８】
本発明によれば、表示画面の情報量を向上できる。
【図面の簡単な説明】
【００１９】
【図１】携帯機器の概念的な外観の概念的な一例を示す斜視図である。
【図２】携帯機器の概念的な外観の概念的な一例を示す裏面図である。
【図３】右手で携帯機器を保持する様子の概念的な一例を示す図である。
【図４】左手で携帯機器を保持する様子の概念的な一例を示す図である。
【図５】携帯機器の電気的な構成の一例を示す図である。
【図６】タッチセンサの概念的な構成の一例を示す図である。
【図７】タッチセンサの検出例を示す図である。
【図８】制御部の動作の一例を示すフローチャートである。
【図９】表示領域と操作指との一例を示す概念的な図である。
【図１０】表示領域と操作指との一例を示す概念的な図である。
【図１１】制御部の動作の一例を示すフローチャートである。
【図１２】左手で携帯機器を保持する様子の概念的な一例を示す図である。
【図１３】表示領域と操作指との一例を示す概念的な図である。
【図１４】表示領域と操作指との一例を示す概念的な図である。
【図１５】保持指によるタッチセンサを用いた操作の様子を示す図である。
【図１６】表示領域の模式的な一例を示す図である。
【図１７】表示領域の模式的な一例を示す図である。
【図１８】表示領域の模式的な一例を示す図である。
【図１９】表示領域の模式的な一例を示す図である。
【図２０】表示領域の模式的な一例を示す図である。
【図２１】表示領域の模式的な一例を示す図である。
【図２２】制御部の動作の一例を示すフローチャートである。
【発明を実施するための形態】
【００２０】
＜携帯機器の外観＞
図１は、実施の形態に係る携帯機器１の外観を示す斜視図であり、前面側から見た図である。図２は、携帯機器１の概観を示す裏面図である。携帯機器１は、例えば携帯電話機であって、基地局及びサーバ等を通じて他の通信装置と通信することが可能である。図１及び図２に示されるように、携帯機器１は、カバーパネル２とケース部分３を備えており、カバーパネル２とケース部分３とが組み合わされることによって、平面視で略長方形の板状を成す筐体（以下、機器ケースとも呼ぶ）４が構成されている。
【００２１】
カバーパネル２は、平面視において略長方形を成しており、携帯機器１の前面部分における、周縁部分以外の部分を構成している。カバーパネル２は、例えば、透明のガラスあるいは透明のアクリル樹脂で形成されている。ケース部分３は、携帯機器１の前面部分の周縁部分、側面部分及び裏面部分を構成している。ケース部分３は、例えばポリカーボネート樹脂で形成されている。
【００２２】
カバーパネル２の前面には、文字、記号、図形または画像等の各種情報が表示される表示領域２ａが設けられている。ここでは、携帯機器１には例えば一つのみの表示領域２ａが設けられており、この表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル１３０が貼り付けられており、ユーザは、携帯機器１の前面の表示領域２ａを指等で操作することによって、携帯機器１に対して各種指示を与えることができる。なお、ユーザは、指以外の操作子、例えば、スタイラスペンなどの静電式タッチパネル用ペンで表示領域２ａを操作することによっても、携帯機器１に対して各種指示を与えることができる。
【００２３】
機器ケース４内には、ホームキー５ａ、メニューキー５ｂ及びバックキー５ｃが設けられている。ホームキー５ａ、メニューキー５ｂ及びバックキー５ｃのそれぞれは、ハードウェアキーであって、その表面が、カバーパネル２の前面の下側端部から露出している。ホームキー５ａは、ホーム画面（初期画面）を表示領域２ａに表示するための操作キーである。メニューキー５ｂは、オプションメニュー画面を表示領域２ａに表示するための操作キーである。バックキー５ｃは、表示領域２ａの表示を一つ前の表示に戻すための操作キーである。以後、ホームキー５ａ、メニューキー５ｂ及びバックキー５ｃを特に区別する必要が無い場合には、それぞれを「操作キー５」と呼ぶ。なお、ホームキー５ａ、メニューキー５ｂ及びバックキー５ｃのそれぞれは、ハードウェアキーではなく、表示領域２ａに表示されて、タッチパネル１３０でそれに対する操作が検出されるソフトウェアキーであってもよい。
【００２４】
カバーパネル２の下側端部にはマイク穴６があけられており、カバーパネル２の上側端部にはレシーバ穴７があけられている。カバーパネル２の前面の上側端部からは、後述する前面側撮像部１８０が有する撮像レンズ１８０ａが視認可能となっている。また、図２に示されるように、携帯機器１の裏面、言い換えれば機器ケース４の裏面には、スピーカ穴８があけられている。そして、携帯機器１の裏面からは、後述する裏面側撮像部１９０が有する撮像レンズ１９０ａが視認可能となっている。
【００２５】
機器ケース４には、タッチセンサ９０が設けられている。このタッチセンサ９０は、携帯機器１を保持する指と接触する位置に設けられる。ここでは図３に示すように、ユーザは片手で携帯機器１を保持する。図３の例示では、ユーザは右手３０で携帯機器１を保持している。このとき、携帯機器１は、右手３０の親指３１の付け根部分と、親指３１以外の指３２とによって挟まれて、保持される。よって、指３２は携帯機器１の側面部分（図３の左側の側面部分）に接触する。タッチセンサ９０は、当該側面部分に設けられており、指３２の動きを検出する。またこのとき、ユーザは、親指３１で表示領域２ａを操作できる。よって以下では、親指３１を操作指とも呼び、指３２を保持指とも呼ぶ。
【００２６】
図４の例示では、ユーザは左手２０で携帯機器１を保持している。このとき、携帯機器１は、左手２０の親指２１の付け根部分と、親指２１以外の指２２とによって挟まれて、保持される。よって、指２２は携帯機器１の側面部分（図４の右側の側面部分）に接触する。タッチセンサ９０は、当該側面部分にも設けられており、指２２の動きを検出する。またこのときユーザは、親指２１で表示領域２ａを操作できる。よって以下では、親指２１を操作指とも呼び、指２２を保持指とも呼ぶ。
【００２７】
＜携帯機器の電気的構成＞
図５は携帯機器１の電気的構成を示すブロック図である。図５に示されるように、携帯機器１には、制御部１００、表示パネル１２０、表示制御部１２２、検出部１３２及び傾斜センサ９２が設けられている。さらに携帯機器１には、無線通信部１１０、キー操作部１４０、マイク１５０、レシーバ１６０、外部スピーカ１７０、前面側撮像部１８０、裏面側撮像部１９０及び電池２００が設けられている。携帯機器１に設けられたこれらの構成要素は、機器ケース４に収められている。
【００２８】
制御部１００は、ＣＰＵ（Central Processing Unit）１０１、ＤＳＰ（Digital Signal Processor）１０２及び記憶部１０３等を備えており、携帯機器１の他の構成要素を制御することによって、携帯機器１の動作を統括的に管理する。記憶部１０３は、ＲＯＭ（Read Only Memory）及びＲＡＭ（Random Access Memory）等で構成されている。記憶部１０３には、携帯機器１の動作、具体的には携帯機器１が備える無線通信部１１０、表示パネル１２０等の各構成要素を制御するための制御プログラムであるメインプログラム１０３ａ及び複数のアプリケーションプログラム１０３ｂ（以後、単に「アプリケーション１０３ｂ」と呼ぶ）等が記憶されている。制御部１００の各種機能は、ＣＰＵ１０１及びＤＳＰ１０２が記憶部１０３内の各種プログラムを実行することによって実現される。なお図３では、図面の煩雑さを避けるために、アプリケーション１０３ｂは一つだけ示されている。また、図５の例示では、ＣＰＵ１０１およびＤＳＰ１０２がそれぞれ一つ示されているものの、これらは複数設けられてもよい。そして、これらが互いに協働して各種機能を実現してもよい。また、図５の例示では、記憶部１０３は、制御部１００の内部において示されているものの、制御部１００の外部に設けられてもよい。換言すれば、記憶部１０３は制御部１００とは別体であってもよい。
【００２９】
無線通信部１１０は、アンテナ１１１を有している。無線通信部１１０は、携帯機器１とは別の携帯電話機あるいはインターネットに接続されたウェブサーバ等の通信装置からの信号を、基地局等を介してアンテナ１１１で受信する。無線通信部１１０は、受信信号に対して増幅処理及びダウンコンバートを行って制御部１００に出力する。制御部１００は、入力される受信信号に対して復調処理等を行う。また無線通信部１１０は、制御部１００で生成された送信信号に対してアップコンバート及び増幅処理を行って、処理後の送信信号をアンテナ１１１から無線送信する。アンテナ１１１からの送信信号は、基地局等を通じて、携帯機器１とは別の携帯電話機あるいはインターネットに接続された通信装置で受信される。
【００３０】
表示パネル１２０は、例えば、液晶表示パネルあるいは有機ＥＬパネルである。表示パネル１２０は、制御部１００および表示制御部１２２によって制御されることによって、文字、記号、図形または画像などの各種情報を表示する。表示パネル１２０に表示される情報は、カバーパネル２の前面の表示領域２ａに表示される。したがって、表示パネル１２０は、表示領域２ａに表示を行っていると言える。
【００３１】
表示制御部１２２は、制御部１００から受け取る画像信号に基づいて、表示パネル１２０に表示画面を表示させる。なお以下では、簡単のために、表示パネル１２０を制御する主体を制御部１００として説明する。
【００３２】
検出部１３２は、ユーザによる携帯機器１への入力を検出し、その入力を制御部１００へと通知する。例えば検出部１３２は、タッチパネル１３０と、キー操作部１４０と、タッチセンサ９０とを含む。
【００３３】
タッチパネル１３０は、カバーパネル２の表示領域２ａに対する操作指等の操作子による操作を検出する。タッチパネル１３０は、例えば、投影型静電容量方式のタッチパネルであって、カバーパネル２の裏面に貼り付けられている。ユーザが操作指等の操作子によってカバーパネル２の表示領域２ａに対して操作を行うと、それに応じた信号がタッチパネル１３０から制御部１００に入力される。制御部１００は、タッチパネル１３０からの信号に基づいて、表示領域２ａに対して行われた操作の内容を特定して、その画面に応じた処理を行う。
【００３４】
タッチセンサ９０は、機器ケース４に設けられ、保持指の動きを検出する。より詳細には、タッチセンサ９０は、自身と保持指との接触位置を検出して、これを制御部１００へと出力する。タッチセンサ９０は、例えば、タッチパネル１３０と同様の原理を用いて、保持指の接触位置を検出することができる。ただしタッチセンサ９０は、表示機能を有する必要がないので、可視光を透過させる必要はない。制御部１００は、タッチセンサ９０で検出される当該接触位置の変化に基づいて、保持指の動きを了知することができる。
【００３５】
傾斜センサ９２は、携帯機器１（或いは機器ケース４）の基準姿勢に対する傾斜角を検出する。この基準姿勢は任意に設定すればよいものの、例えば、携帯機器１（より詳細にはカバーパネル２）が水平面に平行となる姿勢である。
【００３６】
また、傾斜センサ９２は、次の２つの傾斜角を検出する。すなわち、互いに直交するｘ軸、ｙ軸およびｚ軸のうち一つを中心とした回転角（傾斜角）と、他の一つを中心とした回転角（傾斜角）とを検出する。ｘ軸、ｙ軸およびｚ軸は、携帯機器１に対して固定された軸であり、例えば図３および図４に示すように、左右方向、上下方向および紙面に垂直な方向をそれぞれ採用できる。この２つの傾斜角により、携帯機器１の基準姿勢に対する傾斜姿勢を表現することができる。
【００３７】
傾斜センサ９２は、例えば加速度センサである。この加速度センサは携帯機器１に生じるｘ軸、ｙ軸およびｚ軸の重力加速度成分を検出することができる。制御部１００は、傾斜センサ９２で検出された各方向の重力加速度成分を用いて、周知の幾何学的な関係式より、携帯機器１の傾斜角を検出（或いは算出）することができる。
【００３８】
キー操作部１４０は、各操作キー５に対するユーザの押下操作を検出する。キー操作部１４０は、各操作キー５について、当該操作キー５が押下（操作）されているか否かを検出する。キー操作部１４０は、操作キー５が押下されていない場合には、当該操作キー５が操作されていないことを示す未操作信号を制御部１００に出力する。また、キー操作部１４０は、操作キー５が押下されると、当該操作キー５が操作されたことを示す操作信号を制御部１００に出力する。これにより、制御部１００は、各操作キー５について、当該操作キー５が操作されているか否かを判断することができる。
【００３９】
制御部１００は、ホームキー５ａが押下されて、その後押下されなくなったことがキー操作部１４０で検出されると、表示パネル１２０にホーム画面（初期画面）を表示させる。これにより、表示領域２ａにはホーム画面が表示される。また、制御部１００は、メニューキー５ｂが押下されて、その後押下されなくなったことがキー操作部１４０で検出されると、表示パネル１２０にオプションメニュー画面を表示させる。これにより、表示領域２ａにはオプションメニュー画面が表示される。そして、制御部１００は、バックキー５ｃが押下されて、その後押下されなくなったことがキー操作部１４０で検出されると、表示パネル１２０に、その表示を一つ前に戻させる。これにより、表示領域２ａの表示が一つ前に戻る。
【００４０】
マイク１５０は、携帯機器１の外部から入力される音を電気的な音信号に変換して制御部１００に出力する。携帯機器１の外部からの音は、カバーパネル２の前面に設けられたマイク穴６から携帯機器１の内部に取り込まれてマイク１５０に入力される。
【００４１】
外部スピーカ１７０は、例えばダイナミックスピーカであって、制御部１００からの電気的な音信号を音に変換して出力する。外部スピーカ１７０から出力される音は、携帯機器１の裏面に設けられたスピーカ穴８から外部に出力される。スピーカ穴８から出力される音は、携帯機器１から離れた場所でも聞こえるようになっている。
【００４２】
前面側撮像部１８０は、撮像レンズ１８０ａ及び撮像素子などで構成されており、制御部１００による制御に基づいて、静止画像及び動画像を撮像する。図１に示されるように、撮像レンズ１８０ａは、携帯機器１の前面に設けられていることから、携帯機器１の前面側（カバーパネル２側）に存在する物体を撮像することが可能である。
【００４３】
裏面側撮像部１９０は、撮像レンズ１９０ａ及び撮像素子などで構成されており、制御部１００による制御に基づいて、静止画像及び動画像を撮像する。図２に示されるように、撮像レンズ１９０ａは、携帯機器１の裏面に設けられていることから、携帯機器１の裏面側に存在する物体を撮像することが可能である。
【００４４】
レシーバ１６０は、受話音を出力するものであって、例えばダイナミックスピーカで構成されている。レシーバ１６０は、制御部１００からの電気的な音信号を音に変換して出力する。レシーバ１６０から出力される音は、携帯機器１の前面に設けられたレシーバ穴７から外部に出力される。レシーバ穴７から出力される音の音量は、スピーカ穴８から出力される音の音量よりも小さくなっている。
【００４５】
電池２００は、携帯機器１の電源を出力する。電池２００から出力された電源は、携帯機器１が備える制御部１００及び無線通信部１１０などに含まれる各電子部品に対して供給される。
【００４６】
記憶部１０３には、携帯機器１の諸機能を発揮する様々なアプリケーション１０３ｂが記憶されている。記憶部１０３には、例えば、電話機能を用いて通話を行うための電話アプリケーション、ウェブサイトを表示するためのブラウザ、電子メールの作成・閲覧・送受信を行うためのメールアプリケーションが記憶されている。また、記憶部１０３には、前面側撮像部１８０および裏面側撮像部１９０を用いて、静止画像および動画像を撮像するためのカメラアプリケーション、テレビ番組を視聴及び録画するためのテレビアプリケーション、記憶部１０３に記憶されている動画像データの再生制御を行うための動画再生制御アプリケーション、記憶部１０３に記憶されている音楽データの再生制御を行うための音楽再生制御アプリケーションなどが記憶されている。
【００４７】
記憶部１０３内のメインプログラム１０３ａを実行している制御部１００が、記憶部１０３内のアプリケーション１０３ｂを読み出して実行すると、制御部１００は、無線通信部１１０、表示パネル１２０及びレシーバ１６０等の、携帯機器１内の他の構成要素を制御し、それによって、当該アプリケーション１０３ｂに対応する機能（処理）が携帯機器１で実行される。例えば、電話アプリケーションを実行している制御部１００は、無線通信部１１０、マイク１５０及びレシーバ１６０を制御する。これにより、携帯機器１では、無線通信部１１０で受信された受信信号に含まれる音声がレシーバ１６０から出力されるとともに、マイク１５０に入力された音声を含む送信信号が無線通信部１１０から送信され、通信相手装置との間で電話機能を用いた通話が行われる。
【００４８】
＜表示領域に対する操作の種類＞
ユーザが表示領域２ａに対して行う基本的な操作としては、例えば、スライド操作、タップ操作、ダブルタップ操作、フリック操作、ピンチアウト操作、または、ピンチイン操作などがある。
【００４９】
スライド操作とは、操作指等の操作子が表示領域２ａに接触あるいは近接した状態で移動する操作である。つまり、スライド操作とは、操作子が表示領域２ａにおいて移動する操作である。ユーザは、表示領域２ａに対してスライド操作を行うことによって、例えば、表示領域２ａの表示をスクロールさせたり、表示領域２ａに表示されているページを別のページに切り換えたりすることができる。
【００５０】
このように、本実施の形態では、操作子が表示領域２ａにおいて移動する操作には、操作子が表示領域２ａに接触した状態で移動する操作と、操作子が表示領域２ａに近接した状態で移動する操作の両方を含む。
【００５１】
タップ操作とは、操作子が表示領域２ａに接触あるいは近接してからすぐに当該表示領域２ａから離れる操作である。詳細には、タップ操作とは、操作子が表示領域２ａに接触あるいは近接してから所定時間以内にその接触位置あるいは近接位置で当該表示領域２ａから離れる操作である。ユーザは、表示領域２ａに対してタップ操作を行うことによって、例えば、表示領域２ａに表示されているアプリケーション１０３ｂを実行するためのアプリケーションアイコン（以後、「アプリアイコン」と呼ぶ）を選択して、当該アプリケーション１０３ｂを携帯機器１に実行させることができる。
【００５２】
ダブルタップ操作とは、タップ操作が所定期間内に２回行なわれる操作である。ユーザは、表示領域２ａに対してダブルタップ操作を行うことによって、例えば、表示領域２ａに表示されている表示画面を予め決められた拡大率で拡大して表示したり、または予め決められた縮小率で縮小して表示させることができる。
【００５３】
フリック操作とは、表示領域２ａを操作子で払う操作である。詳細には、フリック操作とは、操作子が表示領域２ａに接触あるいは近接した状態で所定時間以内に所定距離以上移動して表示領域２ａから離れる操作である。ユーザは、表示領域２ａに対してフリック操作を行うことによって、例えば、表示領域２ａの表示を当該フリック操作の方向にスクロールさせたり、表示領域２ａに表示されているページを別のページに切り替えたりすることができる。
【００５４】
ピンチアウト操作とは、２つの操作子が表示領域２ａに近接または当接した状態で、その２つの操作子の間の間隔を広げる操作である。ユーザは、表示領域２ａに対してピンチアウト操作を行なうことによって、例えば、２つの操作子の間隔に応じて表示画面を拡大して、表示領域２ａに表示させることができる。
【００５５】
ピンチイン操作とは、２つの操作子が表示領域２ａに近接または当接した状態で、その２つの操作子の間の間隔を縮小する操作である。ユーザは、表示領域２ａに対してピンチイン操作を行なうことによって、例えば、２つの操作子の間隔に応じて表示画面を縮小して、表示領域２ａに表示させることができる。
【００５６】
＜携帯機器の操作方法について＞
図３及び図４に示されるように、ユーザが携帯機器１を片手で持ちながら、その親指で表示領域２ａを操作する場合には、ユーザは表示領域２ａの端部を操作しにくいことがある。具体的には、例えば右手３０で携帯機器１を保持している場合（図３参照）、ユーザは表示領域２ａのうち、保持指３２の接触位置側の端部（より具体的には左上端部）の領域を操作しにくい。右手３０の親指３１がこの領域に届きにくいからである。一方で、左手２０で携帯機器１を保持している場合（図４参照）、ユーザは表示領域２ａのうち、保持指２２の接触位置側の端部（より具体的には右上端部）の領域を操作しにくい。左手２０の親指２１がこの領域に届きにくいからである。このような問題は、表示領域２ａが大きくなって大画面化が進むほど、顕著になる。
【００５７】
以下では、操作が困難な領域を操作困難領域と呼ぶ。よってここでは、右手３０の親指３１で携帯機器１を操作するときには、操作困難領域は表示領域２ａの左上端部であり、左手２０の親指２１で携帯機器１を操作するときには、操作困難領域は表示領域２ａの右上端部である。また、操作指が届きやすい領域を操作容易領域とも呼ぶ。
【００５８】
次に、ユーザが操作困難領域を操作しようとするときの動作について説明する。まず右手３０で携帯機器１を保持しながら、その親指３１で操作困難領域を操作する場合（図３参照）について説明する。このとき、ユーザは、操作困難領域が親指３１へと近づくように携帯機器１を傾けながら、親指３１を操作困難領域まで伸ばすことで、当該操作困難領域を操作しようとする。より詳細には、携帯機器１の左上端部を、その右下端部に対してユーザ側（紙面手前側）に傾けつつ、親指３１を伸ばす。これにより、親指３１を操作困難領域に近接あるいは当接させる。
【００５９】
また、このような携帯機器１の傾斜姿勢の変化は、保持指３２を用いて裏面部分から携帯機器１をユーザ側に押し出すことにより、行なわれる。例えば、ユーザは、保持指３２を携帯機器１の側面部分から裏面部分へと移動させつつ、保持指３２で裏面部分を押し出す。
【００６０】
そこで、ユーザが操作困難領域を操作しようとしていることを、保持指３２に動きがあり、かつ、携帯機器１の傾斜姿勢に変化があることで、検出する。
【００６１】
この保持指３２の動きはタッチセンサ９０によって検出される。図６は、図３の紙面左側のタッチセンサ９０を模式的に示す平面図である。タッチセンサ９０は平面視で（携帯機器１の側面部分に垂直に見て）略長方形状を成している。また、ここではタッチセンサ９０の紙面左側の一辺が携帯機器１の裏面側に位置し、紙面右側の一辺が携帯機器１の前面側に位置していると定義する。図６では、互いに平行なラインａ〜ｄが前面側から裏面側へとこの順で配置されている。これらのラインａ〜ｄは仮想的なラインであり、タッチセンサ９０における紙面左右方向（ｚ軸方向）の各位置を示している。
【００６２】
図７は、一つの保持指３２に対するタッチセンサ９０の検出結果を、ラインａ〜ｄ毎に示している。つまり、この一つの保持指３２が、紙面左右方向においてどの位置に接触しているのかが、示されている。図７では、保持指３２との接触に伴う検出値（例えば電流値）の時間的な変化が示されており、検出値が大きい場合に保持指３２の接触が検出される。
【００６３】
図７の例示では、初期的には、ラインａ〜ｄのいずれにおいても、保持指３２の接触を検出している。つまり、保持指３２が裏面から前面に亘って携帯機器１の側面部分に接触している。そして、ユーザが操作困難領域を操作すべく、上述のように保持指３２を動かすと、保持指３２は前面から順に側面部分から離れる。よって、図７では、まずラインａにおいて保持指３２が離れることが検出され、順にラインｂ，ｃ，ｄで保持指３２が離れることが検出される。
【００６４】
以上のように、制御部１００は、タッチセンサ９０を用いて、保持指３２が動いていることを検出することができる。例えば制御部１００は、タッチセンサ９０からの保持指の接触位置の変化量（ここではラインａ〜ｄまでの距離）が、所定の閾値を超えているかどうかを判断する。制御部１００は、当該変化量が閾値を超えているときには、保持指３２が動いたと判断する。
【００６５】
なお図７の例示では、簡単のために、ｚ軸方向の各位置における検出値を示して説明している。実際には、タッチセンサ９０は、ｙ軸方向およびｚ軸方向の各位置における検出値を検出する。また、操作困難領域を操作しようとするときには、保持指３２はｙ軸方向にも動きえるので、ｙ軸方向の接触位置の変化量に基づいて、保持指３２の動きを検出しても良い。
【００６６】
傾斜センサ９２は、携帯機器１の基準姿勢に対する傾斜角を検出する。よってこの傾斜角の時間的な変化に基づいて、携帯機器１の傾斜姿勢が変化したことを検出することができる。例えば、制御部１００は、所定時間における傾斜角の変化量が閾値（例えば数度程度）を超えているかどうかを判断する。制御部１００は、この傾斜角の変化量が閾値を超えているときに、携帯機器１の傾斜姿勢が変化したと判断する。
【００６７】
以上のように、タッチセンサ９０を用いて保持指３２の動きの有無（接触位置の変化）を検出し、かつ、傾斜センサ９２を用いて携帯機器１の傾斜姿勢の変化（傾斜角の変化）の有無を検出することができる。これにより、制御部１００は、ユーザが操作困難領域を操作しようとしていることを認識できる。そこで、制御部１００は、保持指３２が動いたことをタッチセンサ９０で検出し、かつ、携帯機器１の傾斜姿勢が変化したことを傾斜センサ９２で検出したときに、表示パネル１２０を制御することで、操作困難領域に表示された表示内容を、操作容易領域に表示させる。以下、図８に示すフローチャートを参照して、より詳細に説明する。
【００６８】
図８は、制御部１００の動作の一例を示すフローチャートである。まずステップＳ１にて、タッチセンサ９０を用いて保持指３２が動いたことを検出し、かつ、傾斜センサ９２を用いて携帯機器１の傾斜姿勢が変化したことを検出する。この検出を契機としてステップＳ２を実行する。なお、この２種の検出は同時期に行なわれる。逆に言えば、比較的離れた異なる時間帯に、これらの検出が別々に行なわれても、ステップＳ２は実行しない。
【００６９】
次にステップＳ２にて、制御部１００は、以下で詳述するように、表示領域２ａに示される画面を変更する。
【００７０】
図９は、表示領域２ａに表示されていた表示画面２０ａの一例である。表示画面２０ａは例えばホーム画面であって、複数の表示記号（アプリアイコン）２２ａが互いに間隔を空けて、例えばマトリックス状に並んで表示されている。このアプリアイコン２２ａは、アプリケーション１０３ｂを選択するためのものである。例えば、所定のアプリアイコン２２ａが表示された部分に対するタップ操作を、タッチパネル１３０が検出すると、制御部１００は、当該アプリアイコン２２ａが選択されたと判断し、当該アプリアイコン２２ａに対応するアプリケーション１０３ｂを起動する。
【００７１】
また、表示領域２ａには、ホーム画面以外にも、その上端部３００に、携帯機器１の状態を示す情報が表示されている。図９の例では、表示領域２ａの上端部３００には、携帯機器１の状態を示す情報として、携帯機器１で計測されている現在時刻３００ａと、電池残量を通知するためのアイコン（図形）３００ｂと、通信状態を通知するためのアイコン３００ｃとが表示されている。
【００７２】
また、携帯機器１において特定のイベントが発生すると、表示領域２ａの上端部３００には、当該イベントに関する情報が表示される。制御部１００は、携帯機器１において特定のイベントが発生したことを検出すると、表示パネル１２０を制御することによって、当該イベントに関する情報を表示領域２ａに表示する。図９の例では、表示領域２ａの上端部３００には、携帯機器１において発生したイベントに関する情報として、新しい電子メールの受信というイベントの発生を通知するためのアイコン３００ｄと、不在着信というイベントの発生を通知するためのアイコン３００ｅとが表示されている。
【００７３】
なお、この上端部３００に表示される画面は、後述する他の表示画面であっても表示されるので、以下では繰り返しの説明を避ける。
【００７４】
そしてステップＳ２では、図１０に示すように、制御部１００は、表示画面２０ａを親指３１側（ここでは右下側）に平行移動（スライド）させて表示する。つまり、図９の表示画面２０ａのうち、操作指から離間した部分（左上端部）が操作指に近づくように、表示画面２０ａを平行移動させる。図１０では、図９の表示画面２０ａのうち、平行移動により表示されなくなった部分を二点差線で示している。
【００７５】
また、制御部１００は、単に表示画面２０ａを平行移動して表示するだけではなく、操作に関する位置情報も更新する。すなわち、表示領域２ａへの操作に関する位置情報を、平行移動後の表示画面２０ａに応じて設定する。例えば、平行移動後にアプリアイコン２２ａが表示される部分（座標）を、当該アプリアイコン２２ａに対するアプリケーション１０３ｂの選択ボタンに割り当てる。これにより、平行移動後の表示画面２０ａにおいて、アプリアイコン２２ａに対してタップ操作が行なわれると、制御部１００は、タップ操作されたアプリアイコン２２ａに対応するアプリケーション１０３ｂを適切に起動することができる。
【００７６】
以上のように、表示画面２０ａのうち操作困難領域（ここでは左上端部の領域）に表示されていた部分が、表示領域２ａのうち操作容易領域に表示されることになる。したがって、ユーザは右手３０の親指３１でこの部分を操作しやすい。
【００７７】
なお、ここではユーザが右手３０で携帯機器１を保持する場合について説明しているので、制御部１００は、右手３０の親指３１に近づけるように、表示画面２０ａを右下側に平行移動させている。他方、左手２０で携帯機器１を保持する場合には、図９の表示画面２０ａの右上端部の部分を左手２０の親指２１に近づけるように、表示画面２０ａを左下側に平行移動させるとよい。
【００７８】
さて、表示画面２０ａをどの方向に平行移動させるかは、ステップＳ２において、制御部１００が携帯機器１の傾斜姿勢の変化方向に基づいて判別することができる。なぜなら、右手３０で操作困難領域を操作する場合には、携帯機器１を、その左上端部がユーザの親指３１に近づくように傾斜させ（図３参照）、左手２０で操作困難領域を操作する場合には、携帯機器１を、その右上端部がユーザの親指２１に近づくように傾斜させる（図４参照）からである。つまり、持ち手によって携帯機器１の傾斜姿勢の変化方向が変わるのである。
【００７９】
この携帯機器１の傾斜姿勢の変化方向は、傾斜センサ９２の検出値（傾斜角）の時間変化に基づいて、制御部１００によって認識される。制御部１００は、携帯機器１の傾斜角の変化方向に基づいて、表示画面２０ａの平行移動の方向を判別する。より具体的には、携帯機器１の左上端部が右下端部に対してユーザに近づくように、携帯機器１の傾斜角が変化していれば、制御部１００は、図１０に示すように、表示画面２０ａを右下に平行移動させる。つまり、このような傾斜角の変化を検出したときには、右手３０で携帯機器１を保持しているとして、表示画面２０ａを右下に平行移動させるのである。
【００８０】
また、携帯機器１の右上端部が左下端部に対してユーザに近づくように、携帯機器１の傾斜角が変化していれば、制御部１００は表示画面２０ａを左下に平行移動させる。つまり、このような傾斜角の変化を検出したときには、左手２０で携帯機器１を保持しているとして、表示画面２０ａを左下に平行移動させるのである。つまり、表示領域２ａのうち傾斜に伴って相対的にユーザ側から遠ざかる部分に向かって、表示画面２０ａを平行移動させるのである。
【００８１】
以上のように、本実施の形態によれば、ユーザが操作困難領域を操作しようとしたときに、当該操作困難領域に表示されていた内容が、自動的に操作容易領域に表示される。したがって、表示領域２ａに対する操作を容易にすることができる。しかも、ユーザがこの機能について何も知らなくても、操作困難領域を操作しようとしさえすれば、操作困難領域に表示されていた内容が操作容易領域に表示されることになる。よって、ユーザは特別な操作知識を有さなくても、換言すれば、説明書などを読まなくても、この機能を活用することができる。
【００８２】
＜保持指の動き方に基づく平行移動の要否＞
保持指が動き、かつ、携帯機器１の傾斜姿勢が変化する事象は、ユーザが操作困難領域を操作しようとする場合以外でも生じ得る。例えば、携帯機器１の保持姿勢を変更する場合、または、携帯機器１の持ち手を替える場合などでも、保持指が動き、かつ、携帯機器１の傾斜姿勢が変化しえる。よってここでは、保持指の動き方に着目することで、ユーザが操作困難領域を操作していることを、より正確に検出することを企図する。
【００８３】
ユーザが操作困難領域を操作しようとするときには、例えば、上述のように保持指が前面から裏面へと動く。このときタッチセンサ９０の検出値は、例えば図７に示すように変化する。
【００８４】
そこで、制御部１００は、このタッチセンサ９０内の各位置における検出値の時間変化に基づいて、保持指の動き方（つまり保持指の接触位置の変化方向）を判別する。そして、検出された保持指の接触位置の変化方向が、操作困難領域を操作しようとするときの変化方向であるとして予め決められた方向（例えば前面から裏面へと向かう方向）と一致するときに、制御部１００は、表示画面２０ａを平行移動させる。この予め定められた方向は、例えば記憶部１０３に記憶される。
【００８５】
これにより、ユーザが操作困難領域を操作しようとすることを、より正確に検出することができる。換言すれば、表示画面２０ａの不要な平行移動を抑制できる。
【００８６】
なお、ユーザが操作困難領域を操作しようとするときには、保持指は携帯機器１の側面部分を下方にも移動しえる。よって、保持指が下方に移動したことを条件として採用しても構わない。つまり、保持指が下方へと動いたことを検出し、かつ、携帯機器１の傾斜姿勢が変化したことを検出したときに、表示画面を平行移動させてもよい。要するに、ユーザが操作困難領域を操作しようとするときの保持指の動き方を検出し、かつ、傾斜姿勢の変化を検出したときに、表示画面２０ａを平行移動させればよいのである。
【００８７】
＜傾斜角の変化量に基づく平行移動の要否＞
ユーザが操作困難領域を操作しようとするときの携帯機器１の傾斜角の変化量には、個人差があるものの、当該変化量はさほど大きくない。平均的な変化量は例えば２０度程度である。そこで、傾斜角の変化量に基づいて、ユーザが操作困難領域を操作しようとしているのか、あるいは、単に保持姿勢を変えたり、持ち手を替えようとしているのか、を判別してもよい。
【００８８】
図１１は、制御部１００の動作の一例を示すフローチャートである。図８の動作に比して、ステップＳ３の処理が追加されている。ステップＳ３は、ステップＳ１，Ｓ２の間で実行される。このステップＳ３では、制御部１００は、携帯機器１の傾斜角の変化量が、所定値（例えば２０度）以下であるかどうかを判定する。そして、肯定的な判定がなされたときに、ステップＳ２を実行し、否定的な判断がなされたときには、ステップＳ２を実行することなく、待機する。
【００８９】
つまり、携帯機器１の傾斜角の変化量が所定値よりも小さい場合には、ユーザが操作困難領域を操作しようとしていると判断して、表示画面２０ａを平行移動させる。その一方で、傾斜角の変化量が所定値よりも大きい場合には、ユーザが操作困難領域を操作しようとしているわけではないと判断して、ステップＳ３を実行しないのである。これにより、表示画面２０ａの不要な平行移動を低減することができる。
【００９０】
或いは、ステップＳ３をステップＳ２の後に行い、ステップＳ３にて否定的な判断がなされたときに、制御部１００が表示領域２ａの全体に表示画面２０ａを表示させても良い。すなわち、ステップＳ１を契機として、一旦は表示画面２０ａを平行移動させて表示しつつも、傾斜角の変化量が所定値を超えれば、ユーザが操作困難領域を操作しようとしているのではないと判断して、元の表示に戻しているのである。なお、ここでいう傾斜角の変化量とは、保持指の動きと同時期に行なわれる携帯機器１の傾斜角の変化量であって、例えばステップＳ１における傾斜角の変化の開始時点から、その変化が終了するまでの変化量である。
【００９１】
＜表示画面の移動方向の決定＞
上述の例では、傾斜センサ９２を用いて傾斜角の変化方向を検出し、その検出結果に基づいて、表示画面２０ａの移動方向を判別した。ここでは、機器ケース４の両側面部に設けられるタッチセンサ９０のうち、どちらが保持指の動きを検出したか、という情報に基づいて、平行移動の方向を判別する。
【００９２】
右手３０で携帯機器１を保持しているときには、図３において、紙面左側のタッチセンサ９０が保持指３２の動きを検出する。よって、左側のタッチセンサ９０が保持指３２の動きを検出したときには、制御部１００は、表示画面２０ａを右下に平行移動させる。一方で、紙面右側のタッチセンサ９０が保持指２２の動きを検出したときには、制御部１００は、左手２０で携帯機器１を保持している（図４参照）として、表示画面２０ａを左下に平行移動させる。
【００９３】
つまり、保持指の動きを検出したタッチセンサ９０が設けられる側面部分とは別の側面部分側、かつ、下側に向かって、表示画面２０ａを平行移動させるのである。これによれば、制御部１００は、表示画面２０ａの平行移動の方向を判別するために、検出値の変化方向を算出する必要がない。よって処理が簡易である。
【００９４】
なお、携帯機器１の傾斜姿勢が変化する際には、タッチセンサ９０と親指の付け根部分との接触位置が変化しえる。しかしながら、親指の付け根部分の接触位置の変化は、保持指の接触位置の変化に比して小さい。よって、保持指の動きを検出するための閾値を調整することで、親指の付け根部分の接触位置の変化を、保持指の動きとして誤検出することを抑制或いは回避できる。
【００９５】
＜タッチセンサの設置部分＞
上述の例では、タッチセンサ９０は機器ケース４の両側面部に設けられている。しかるに、片手で携帯機器１の両側面部を挟んで保持できない場合もある。例えば、図３の携帯機器１を横に持つ場合（即ち、図３の携帯機器１を９０度回転させて保持する場合）、または、携帯機器１の縦方向の幅および横方向の幅が大きい場合などに、片手で携帯機器１の両側面部を挟んで保持できない場合がある。この場合、図１２に示すように、ユーザは、親指の付け根を携帯機器１の側面部分に当接させ、保持指を携帯機器１の裏面部分に当接させて、携帯機器１を保持することになる。よって、この場合、保持指の動きを検出するタッチセンサ９０は、機器ケース４の裏面部分に設けられる。図１２では、左手２０で携帯機器１を保持する場合が示されている。
【００９６】
このように左手２０の保持指２２が機器ケース４の裏面部分に当接する場合には、ユーザは、例えば次のようにして、操作困難領域（図１２において表示領域２ａの紙面右側の端部）を操作しようとする。すなわち、保持指２２を曲げることで携帯機器１の裏面部分を押しながら、親指２１を操作困難領域へと伸ばす。この動作により、保持指２２は裏面部分に沿って親指２１の付け根側（図１２において紙面左側）に移動することとなる。
【００９７】
制御部１００は、タッチセンサ９０を用いて保持指２２が動いたことを検出し、かつ、傾斜センサ９２を用いて携帯機器１の傾斜角が変化したことを検出したときに、表示画面２０ａを親指２１側に平行移動させて表示する。
【００９８】
平行移動の方向は、傾斜センサ９２で検出した傾斜角の変化の方向に基づいて決定すればよい。例えば図１２において、携帯機器１は、その紙面右側の端部が紙面左側の端部に対してユーザに近づくように、傾斜する。よって、傾斜センサ９２を用いてこの方向の変化を検出したときに、制御部１００は、表示画面２０ａを紙面左側に平行移動させる。逆に、携帯機器１の紙面左側の端部が紙面右側の端部に対してユーザに近づくように、携帯機器１が傾斜することを検出したときには、右手３０で携帯機器１を保持していると判断し、制御部１００は、表示画面２０ａを紙面右側に平行移動させる。つまり、傾斜に伴って相対的にユーザ側から遠ざかる部分に向かって、表示画面２０ａを平行移動させるのである。
【００９９】
これにより、ユーザは、操作困難領域を操作しようとするだけで、操作困難領域に表示されていた内容が操作容易領域に表示される。よって、保持指が携帯機器１の裏面部分に当接する場合であっても、上述と同様に、操作を容易にすることができる。
【０１００】
また、平行移動の方向は、保持指の動き方に基づいて決定してもよい。即ち、左手２０で携帯機器１を保持していれば、保持指２２は紙面左側に動くので、タッチセンサ９０を用いてこの方向の移動を検出することで、制御部１００は、表示画面２０ａを紙面左側に平行移動させてもよい。逆に、保持指２２が紙面右側に動いたことを検出すれば、右手３０で携帯機器１を保持していると判断して、制御部１００は、表示画面２０ａを紙面右側に平行移動させる。つまり、保持指の接触位置の移動方向へと表示画面２０ａを平行移動させるのである。
【０１０１】
＜平行移動量＞
手の大きさには個人差があり、手が大きいユーザは携帯機器１をあまり傾けなくても、操作困難領域を操作できる。一方で、手が小さいユーザは携帯機器１を大きく傾ける必要がある。
【０１０２】
そこで、制御部１００は、傾斜角の変化量が大きいほど、平行移動量を大きくしてもよい。つまり、手が小さいユーザに対しては、表示画面２０ａのうち操作困難領域に表示されていた部分を、より操作指に近づけて表示するのである。図１３は、傾斜角の変化量が大きいときの、平行移動後の表示領域２ａを示している。表示領域２ａのうち、平行移動後に表示画面２０ａを表示する領域２ｃのサイズは、図１０に比して小さくなる。これにより、操作指３１が短いユーザに対しては、より操作指に近い領域に表示画面２０ａが表示されることになる。よってユーザは操作しやすい。
【０１０３】
他方、手が大きいユーザに対しては、傾斜角の変化量が比較的小さいので、平行移動量は比較的小さい。よって、平行移動後に表示画面２０ａを表示する領域２ｃのサイズは、比較的大きい。ここで、表示領域２ａのうち、操作指の根元に近すぎる領域では、逆に操作指での操作が困難である。よって、手が大きい人に対しては、比較的大きく表示画面２０ａを表示することで、操作指の根元から比較的離れた領域で表示画面２０ａの内容を表示しているのである。
【０１０４】
以上のように、表示画面２０ａが表示される領域の大きさを、手の大きさに応じて適切に設定することができる。
【０１０５】
＜表示画面の縮小表示＞
制御部１００は、表示画面２０ａを平行移動すると共に、これを縮小して表示しても構わない。なおここでいう縮小の対象は、平行移動後に表示画面２０ａが表示される領域２ｃのサイズではなく、表示画面２０ａの縮尺である。図１４は、表示画面２０ａを縮小しながら平行移動したときの表示画面２０ａを示している。これにより、図１０に比して、表示画面２０ａに含まれるアプリアイコン２２ａのサイズが縮小して表示され、またアプリアイコン２２ａの間隔も短く表示される。したがって、平行移動後に、より多くのアプリアイコン２２ａを表示することができる。換言すれば、表示画面２０ａの表示可能な情報量を増大させることができる。
【０１０６】
その一方で、上述の図１０に示されるように、表示画面２０ａを縮小することなく表示してもよい。なぜなら、表示画面２０ａを縮小することにより、操作が困難となりえるからである。例えば、この縮小により、アプリアイコン２２ａが小さくなり、またアプリアイコン２２ａの間隔も短くなるので、所望のアプリアイコン２２ａを選択しにくくなる場合がある。このような事態を回避すべく、縮小することなく表示画面２０ａを表示してもよい。
【０１０７】
＜平行移動処理のトリガ＞
上述の例では、タッチセンサ９０を用いて保持指の動きを検出し、かつ、傾斜センサ９２を用いて携帯機器１の傾斜姿勢の変化を検出したときに、制御部１００は、表示画面２０ａを平行移動させて表示した。しかしながら、本実施の形態では必ずしもこれに限らない。表示画面２０ａを平行移動させるための条件（トリガ）は適宜に変更してもよい。
【０１０８】
例えば表示画面２０ａを平行移動させるための入力部（ハードキーまたはソフトキー）を携帯機器１に設け、ユーザによる当該入力部への入力に基づいて、表示画面２０ａを平行移動させてもよい。また平行移動させる方向についても、これを入力するための入力部を設ければよい。この構造を採用する場合には、タッチセンサ９０および傾斜センサ９２は必須要件ではない。
【０１０９】
また、タッチセンサ９０を当該入力部として機能させてもよい。すなわち、タッチセンサ９０に対して特定の操作を行なうことで、制御部１００が表示画面２０ａを平行移動させても構わない。この特定の操作としては、例えば、タッチセンサ９０に対して指を接触させて所定時間後に離す操作を、採用できる。また表示画面２０ａの平行移動の方向についても、タッチセンサ９０を用いて携帯機器１に入力してもよい。例えば、両側面部のどちらのタッチセンサ９０に対して操作が行なわれたか、に基づいて、表示画面２０ａの平行移動の方向を入力することができる。このように、タッチセンサ９０を当該入力部として機能させる場合には、傾斜センサ９２は必須要件ではない。
【０１１０】
＜元の表示に戻す＞
制御部１００は、表示画面２０ａを平行移動させて表示領域２ａの一部（領域２ｃ）に表示した状態で、タッチセンサ９０が保持指の接触位置の変化を所定の操作として検出したときに、表示画面２０ａを表示領域２ａの全体に表示する。この所定の操作としては、図１５を参照して、例えば保持指３２がタッチセンサ９０に接触した状態で、所定の一方向（例えば紙面下方）に移動させる操作を採用できる。図１５では、移動後の保持指３２を二点鎖線で示している。これにより、簡単な操作で、元の表示に戻すことができる。
【０１１１】
＜表示領域２ａに表示される表示画面＞
＜２つの表示画面の表示＞
上述したように、制御部１００が表示画面２０ａを平行移動させて表示領域２ａに表示することにより、表示領域２ａの一部（領域２ｃ）に、表示画面２０ａの一部が表示される。以下では、表示領域２ａのうち、平行移動後に表示画面２０ａの一部が表示される領域２ｃをメイン領域２ｃと呼び、他の領域をサブ領域２ｄと呼ぶ（図１０も参照）。メイン領域２ｃは例えば平面視で略長方形を成し、サブ領域２ｄは、表示領域２ａからメイン領域２ｃを切り欠いた形状を成す。
【０１１２】
ここでは、制御部１００は、ステップＳ２において、表示画面２０ａを平行移動させて、メイン領域２ｃに表示画面２０ａの一部を表示すると共に、表示画面２０ａとは別の表示画面をサブ領域２ｄに表示する。別の表示画面としては、例えばステップＳ２を実行するときに起動されているアプリケーション１０３ｂの表示画面を採用できる。或いは、予め定められたアプリケーション１０３ｂを起動し、その表示画面を採用してもよい。
【０１１３】
図１６〜図１８は、アプリケーション１０３ｂが起動したときの表示画面を模式的に示している。図１６は、ウェブブラウザが起動しているときの表示画面２０ｂの一例を模式的に示しており、ニュース情報を示すウェブページが表示領域２ａに表示されている。このウェブページには、複数のリンク（ハイパーリンク）が含まれている。図１６においては、ウェブページ中のリンクには下線が示されている。記憶部１０３内のウェブブラウザを実行する制御部１００は、無線通信部１１０を通じてウェブサーバからウェブページを取得し、その後、表示パネル１２０を制御することによって、ウェブページ５０が表示領域２ａに表示される。
【０１１４】
表示領域２ａにおける、ウェブページに含まれるリンクが表示されている部分に対して、タップ操作が行われたことを、タッチパネル１３０が検出すると、制御部１００は、当該リンクがユーザによって選択されたと判断する。そして制御部１００は、無線通信部１１０を通じて該当のウェブサーバと通信することによって、当該リンクが示すウェブページを当該ウェブサーバから取得する。表示パネル１２０は、制御部１００で取得されたウェブページを、制御部１００による制御によって表示領域２ａに表示する。
【０１１５】
図１７は、メールアプリケーションが起動しているときの表示画面２０ｃの一例を模式的に示しており、送信文を作成するための画面が表示領域２ａに表示されている。この表示画面２０ｃは記憶部１０３に記憶されており、制御部１００は、記憶部１０３からこの表示画面２０ｃを読み出し、表示パネル１２０を制御することによって、この表示画面２０ｃを表示領域２ａに表示する。図１７の例示では、送信文を表示するための領域３８２と、送信文を入力するための文字入力ボタン３８０と、送信文を送信する送信ボタン３８４とが表示領域２ａに表示されている。
【０１１６】
文字入力ボタン３８０が含まれる部分に対する操作を、タッチパネル１３０が検出すると、制御部１００は、当該文字入力ボタン３８０の操作に応じた文字を、領域３８２に表示する。また送信ボタン３８４が示される部分に対する操作をタッチパネル１３０が検出すると、制御部１００は、無線通信部１１０を通じて、領域３８２に表示された送信文を送信先の端末に送信する。
【０１１７】
図１８は、地図を閲覧するための地図アプリケーションが起動したときの表示画面２０ｄの一例を模式的に示しており、日本地図を示す画面が表示領域２ａに示されている。この表示画面２０ｄは、例えばウェブサーバに格納されており、制御部１００が無線通信部１１０を通じてこれを取得し、その後、表示パネル１２０を制御することによって、これを表示領域２ａに表示する。
【０１１８】
例えば表示画面２０ｄを含む部分に対するスライド操作を、タッチパネル１３０が検出すると、制御部１００は、そのスライド方向に地図をスクロールさせて、表示領域２ａに表示する。また、表示画面２０ｄに対するピンチアウト操作をタッチパネル１３０が検出すると、制御部１００は、２つの操作子の間隔に応じて縮尺を小さくして（即ち、縮尺分母を大きくして）、当該地図を表示する。またピンチイン操作を検出すると、制御部１００は、２つの操作子の間隔に応じて縮尺を大きくして、当該地図を表示する。
【０１１９】
ここでは、図１６〜図１８に示す３つのアプリケーション１０３ｂ（ウェブブラウザ、メールアプリケーション、及び、地図アプリケーション）が起動しており、表示領域２ａには、ウェブサーバの表示画面２０ｃが表示されているものとする（図１６）。メールアプリケーションおよび地図アプリケーションの現在の表示画面２０ｃ，２０ｄは、制御部１００によって、それぞれ例えば記憶部１０３に格納され、この時点では、表示領域２ａには表示されない。
【０１２０】
この状態で、制御部１００は、表示画面２０ｂを平行移動させてメイン領域２ｃに表示する（図１９参照）。また、これと共に、制御部１００は、例えばメールアプリケーションの表示画面２０ｃを、サブ領域２ｄに表示する。図１９の例示では、メイン領域２ｃは表示領域２ａのうち右下の長方形領域であり、図１７の表示画面２０ｂの左上端部の部分が表示されている。サブ領域２ｄは表示領域２ａからメイン領域２ｃを切り欠いた形状を成すので、図１４の表示画面２０ｃのうちメイン領域２ｃに対応する部分は、図１９では表示されない。つまり、メイン領域２ｃの表示画面２０ｂは、サブ領域２ｄの表示画面２０ｂの上に重なるようにして表示される。
【０１２１】
これにより、ユーザは、表示画面２０ｂのみならず、他の情報（すなわち表示画面２０ｃ）を視認することができる。よって、表示領域２ａからの情報量を向上することができる。
【０１２２】
＜メイン領域とサブ領域の表示画面の切り替え＞
また、メイン領域２ｃとサブ領域２ｄが表示される状態で、例えば、表示領域２ａに対する所定の第１操作（ここではスライド操作）をタッチパネル１３０が検出すると、制御部１００は、この第１操作を、メイン領域２ｃおよびサブ領域２ｄの表示画面の切り替え操作と認識する。つまり、制御部１００は、この第１操作によるアプリケーション１０３ｂの機能（アプリケーション１０３ｂを実行する制御部１００の機能、以下同様）を制限する。例えば図１８において、地図アプリケーションが表示される表示画面２０ｄにおいてスライド操作を行なうと、この地図アプリケーションを実行する制御部１００によって、当該地図をスクロールして表示するところ、メイン領域２ｃとサブ領域２ｄとが表示された状態では、制御部１００は、第１操作による当該機能（スクロール表示）を発揮させない。
【０１２３】
その一方で、制御部１００は、この第１操作を、メイン領域２ｃおよびサブ領域２ｄの表示画面の切り替え操作と認識するのである。すなわち、表示領域２ａに対する第１操作を検出すると、制御部１００は、表示パネル１２０を制御することで、メイン領域２ｃおよびサブ領域２ｄの各々の表示画面を他の表示画面に切り替える。例えば図２０に示すように、制御部１００は、図１９においてサブ領域２ｄに表示されていた表示画面２０ｃを、メイン領域２ｃに表示し、地図アプリケーションの表示画面２０ｄを、サブ領域２ｄに表示する。
【０１２４】
この状態で、タッチパネル１３０が再び第１操作を検出すると、制御部１００は、メイン領域２ｃおよびサブ領域２ｄの各々の表示画面を、再び他の表示画面に切り替える。例えば図２１に示すように、制御部１００は、図２０においてサブ領域２ｄに表示されていた表示画面２０ｄをメイン領域２ｃに表示し、表示画面２０ｂをサブ領域２ｄに表示する。以後、第１操作を契機として、上記の順序で切り替えが繰り返される。
【０１２５】
このような切替動作によれば、現在起動しているアプリケーション１０３ｂの表示画面が順にメイン領域２ｃおよびサブ領域２ｄに表示される。よって、ユーザは、第１操作を繰り返すことで、現在起動しているアプリケーション１０３ｂを容易に確認することができる。
【０１２６】
また、この切り替え後にメイン領域２ｃに表示される表示画面が、切り替え前においてサブ領域２ｄに表示されている。よってユーザは、次にメイン領域２ｃに表示される画面を予め了知しながら、画面を切り替えることができる。
【０１２７】
またここでは、３つの表示画面２０ｂ〜２０ｄを用いて説明したが、２つ或いは４つ以上の表示画面を用いても良い。また表示画面２０ａが含まれていてもよい。
【０１２８】
またここでは、表示領域２ａに対する第１操作を契機として、メイン領域２ｃおよびサブ領域２ｄの表示画面の切り替えを行なっている。しかしながら、本実施の形態ではこれに限らない。他の入力部（ハードキーまたはソフトキー）への入力を契機として、制御部１００がこの切り替えを行なってもよい。換言すれば、ユーザによる検出部１３２への入力を契機として、制御部１００がこの切り替えを行なってもよい。
【０１２９】
例えば、タッチセンサ９０が設けられている場合であれば、このタッチセンサ９０への操作を契機として切り替えを行なってもよい。また、このようにタッチパネル１３０以外の入力部を採用する場合には、制御部１００は、メイン領域２ｃおよびサブ領域２ｄに対する操作の上記制限を行なう必要はない。即ち、メイン領域２ｃおよびサブ領域２ｄに対する各種の操作を、それぞれメイン領域２ｃおよびサブ領域２ｄに表示されたアプリケーション１０３ｂへの操作と判断してもよい。
【０１３０】
＜全体表示と、メイン・サブ領域の表示との切り替え＞
またメイン領域２ｃに対する所定の第２操作（第１操作とは異なる操作であり、例えばダブルタップ操作）を、タッチパネル１３０が検出した場合にも、制御部１００は、その第２操作による、メイン領域２ｃに表示されたアプリケーション１０３ｂの機能を、制限する。その替わりに、当該第２操作によって次の制御を実行する。すなわち、メイン領域２ｃに対する第２操作を検出すると、制御部１００は、表示パネル１２０を制御して、メイン領域２ｃに表示された表示画面を、表示領域２ａの全体に表示する。例えば図２１の表示領域２ａにおいて、メイン領域２ｃにおいて第２操作が行なわれると、メイン領域２ｃの表示画面２０ｄが表示領域２ａの全体に表示される（図１８参照）。つまり、メイン領域２ｃおよびサブ領域２ｄは消失し、図２１においてサブ領域２ｄに表示されていた表示画面２０ｂの表示が終了する。
【０１３１】
また、図２１において、サブ領域２ｄに対する第２操作を検出すると、制御部１００はサブ領域２ｄに表示されていた表示画面２０ｂを、表示領域２ａの全体に表示する（図１６参照）。これにより、メイン領域２ｃおよびサブ領域２ｄは消失し、図２１においてメイン領域２ｃに表示されていた表示画面２０ｄの表示が終了する。
【０１３２】
さらに、制御部１００は、表示領域２ａの操作による上記機能の制限を解除する。これにより、ユーザは、第１操作および第２操作による、表示領域２ａの全体に表示されたアプリケーション１０３ｂの機能を発揮させることができる。
【０１３３】
このような切り替え方法によれば、メイン領域２ｃおよびサブ領域２ｄの各々に対する操作を受けて、それぞれメイン領域２ｃとサブ領域２ｄとの一方を、表示領域２ａの全体に表示するので、ユーザは操作を理解しやすい。
【０１３４】
なお、上述の例では、メイン領域２ｃおよびサブ領域２ｄへの第２操作を契機として、メイン領域２ｃおよびサブ領域２ｄの一方を、表示領域２ａの全体に表示している。しかしながら、これに限らず、他の入力部への操作を契機として、この表示制御を行なってもよい。換言すれば、ユーザによる検出部１３２への入力を契機として、制御部１００が表示領域２ａの全体表示を行なってもよい。ただし、上述したメイン領域２ｃとサブ領域２ｄ同士の切り替えとは別の操作を採用する。
【０１３５】
例えば、タッチセンサ９０が設けられている場合であれば、このタッチセンサ９０への操作を契機として、切り替えを行なってもよい。すなわち、タッチセンサ９０が保持指の接触位置の所定変化（例えば操作指がタッチセンサ９０に接触した状態で一方向に移動するときの変化）を当該操作として検出したときに、切り替えを行なってもよい。このとき、メイン領域２ｃの表示画面を表示領域２ａの全体に表示するのか、サブ領域２ｄの表示画面を表示領域２ａの全体に表示するのか、との情報についても、タッチセンサ９０への操作で携帯機器１に入力するとよい。例えば、両側面部のうち、どちらのタッチセンサ９０に操作したのか、に基づいて、この情報を入力しても良い。
【０１３６】
このようにタッチパネル１３０以外の入力部を採用する場合には、制御部１００は、メイン領域２ｃおよびサブ領域２ｄに対する操作の上記制限を行なう必要はない。即ち、メイン領域２ｃおよびサブ領域２ｄに対する各種の操作を、それぞれメイン領域２ｃおよびサブ領域２ｄに表示されたアプリケーション１０３ｂへの操作と判断してもよい。
【０１３７】
＜サブ領域の表示画面＞
次に、複数のアプリアイコン２２ａが表示される表示画面（選択画面）２０ａが、メイン領域２ｃに表示されている場合を想定する。このとき、アプリアイコン２２ａへの選択操作（例えばタップ操作）を、タッチパネル１３０が検出したときに、制御部１００が、選択されたアプリアイコン２２ａのアプリケーションを起動するとともに、その表示画面をサブ領域２ｄに表示しても良い。これにより、メイン領域２ｃに表示画面２０ａを表示しつつも、起動したアプリケーションをサブ領域２ｄで視認することができる。これによれば、誤ってアプリアイコン２２ａを選択したとしても、操作しやすいメイン領域２ｃに表示画面２０ａが表示されているので、直ぐにアプリアイコン２２ａの選択をやり直すことができる。
【０１３８】
また、この状態で、メイン領域２ｃの表示画面を表示領域２ａの全体に表示させる操作を検出すると、制御部１００はメイン領域２ｃの表示画面を表示領域２ａの全体に表示すると共に、サブ領域２ｄに表示されるアプリケーション１０３ｂを終了させてもよい。これにより、アプリケーション１０３ｂを終了させる操作を別途に行なう場合に比して、このアプリケーション１０３ｂを簡易に終了させることができる。
【０１３９】
＜制御部の動作の一例＞
図１９は、制御部の動作の一例を示すフローチャートである。図１９は上述した制御内容が適宜盛り込まれたものである。以下に詳細に説明する。
【０１４０】
ステップＳ１，Ｓ３は、上述した内容と同じであるので、繰り返しの説明を避ける。ステップＳ２では、制御部１００は、表示画面を平行移動させてメイン領域２ｃに表示しつつ、さらにサブ領域２ｄにもアプリケーション１０３ｂによる表示画面を表示する。
【０１４１】
ステップＳ２の実行後に、ステップＳ１１にて、タッチセンサ９０が特定の操作（例えば操作指がタッチセンサ９０に接触しながら一方向に移動する操作）を検出する。この検出を契機として、ステップＳ１２にて、制御部１００は、メイン領域２ｃに表示されている表示内容を、表示領域２ａの全体に表示し、待機する。
【０１４２】
また、ステップＳ２の実行後に、ステップＳ２１にて、タッチパネル１３０が、表示領域２ａに対する第１操作を検出する。この検出を契機として、ステップＳ２２にて、制御部１００は、メイン領域２ｃとサブ領域２ｄに表示されている表示内容を、上述のように切り替え、待機する。
【０１４３】
また、ステップＳ２の実行後に、ステップＳ３１にて、タッチパネル１３０が、メイン領域２ｃに対する第２操作を検出する。この検出を契機として、ステップＳ３２にて、制御部１００は、メイン領域２ｃに表示されている表示内容を、表示領域２ａの全体に表示する。
【０１４４】
また、ステップＳ２の実行後に、ステップＳ４１にて、タッチパネル１３０が、サブ領域２ｄに対する第２操作を検出する。この検出を契機として、ステップＳ４２にて、制御部１００は、サブ領域２ｄに表示されている表示内容を、表示領域２ａの全体に表示する。
【０１４５】
また、ステップＳ２の実行後に、ステップＳ５１にて、タッチパネル１３０が、メイン領域２ｃに表示されたアプリアイコン２２ａに対する選択操作（例えばタップ操作）を検出する。なお、ステップＳ５１は、ステップＳ２にて、制御部１００がホーム画面を表示しているときに行なわれる処理である。この検出を契機として、ステップＳ５２にて、制御部１００は、選択されたアプリアイコン２２ａに対するアプリケーション１０３ｂを起動し、その表示画面をサブ領域２ｄに表示する。
【０１４６】
この状態で、ステップＳ５３にて、タッチパネル１３０が、メイン領域２ｃに対する第２操作を検出する。この検出を契機として、ステップＳ５４にて、制御部１００は、サブ領域２ｄに表示されているアプリケーション１０３ｂを終了させるとともに、メイン領域２ｃに表示されている表示画面を、表示領域２ａの全体に表示する。
【０１４７】
また、ステップＳ５２の次に、ステップＳ５５にて、タッチパネル１３０が、サブ領域２ｄに対する第２操作を検出すると、この検出を契機として、ステップＳ５６にて、制御部１００は、サブ領域２ｄに表示されている表示画面を、表示領域２ａの全体に表示する。
【０１４８】
＜その他の変形例＞
上記の例では、本願発明を携帯電話機に適用する場合を例にあげて説明したが、本願発明は、携帯電話機以外の携帯機器にも適用することができる。
【０１４９】
また、本発明は詳細に説明されたが、上記した説明は、すべての局面において、例示であって、本発明がそれに限定されるものではない。例示されていない無数の変形例が、本発明の範囲から外れることなく想定され得る。
【符号の説明】
【０１５０】
１  携帯機器
２ａ  表示領域
２ｃ  メイン領域
２ｄ  サブ領域
４  機器ケース
９０  タッチセンサ
９２  傾斜センサ
１００  制御部
１０３ｂ  アプリケーションプログラム
１２０  表示パネル
１３０  タッチパネル
【図１】
2014232447.tif 000003
【図２】
2014232447.tif 000004
【図３】
2014232447.tif 000005
【図４】
2014232447.tif 000006
【図５】
2014232447.tif 000007
【図６】
2014232447.tif 000008
【図７】
2014232447.tif 000009
【図８】
2014232447.tif 000010
【図９】
2014232447.tif 000011
【図１０】
2014232447.tif 000012
【図１１】
2014232447.tif 000013
【図１２】
2014232447.tif 000014
【図１３】
2014232447.tif 000015
【図１４】
2014232447.tif 000016
【図１５】
2014232447.tif 000017
【図１６】
2014232447.tif 000018
【図１７】
2014232447.tif 000019
【図１８】
2014232447.tif 000020
【図１９】
2014232447.tif 000021
【図２０】
2014232447.tif 000022
【図２１】
2014232447.tif 000023
【図２２】
2014232447.tif 000024